【手続補正書】
【提出日】平成23年12月12日(2011.12.12)
【手続補正１】
【補正対象書類名】明細書
【補正対象項目名】００８４
【補正方法】変更
【補正の内容】
【００８４】
【表２】
2011507277.tif 000001
次に、本発明の好ましい態様を示す。
１  フィルムまたはシートを含む物品であって、
前記物品が、安全ラミネートまたは太陽光制御プレラミネーションアセンブリであり、  前記フィルムまたはシートが、酸ターポリマー組成物を含むか、またはそれで作製されており、
前記酸ターポリマーが、α−オレフィン、前記酸ターポリマーの総重量を基準として、約１５〜約３０重量％の３〜８個の炭素を有するα，β−エチレン性不飽和カルボン酸、および約０．５〜約４０重量％の４〜１２個の炭素を有するα，β−エチレン性不飽和カルボン酸エステルから誘導された共重合単位を含む、物品。
２  前記酸ターポリマーが、前記ターポリマーの総重量を基準として、１８〜２５重量％、好ましくは１８〜２３重量％のα，β−エチレン性不飽和カルボン酸の共重合単位、および０．５〜５重量％、好ましくは１５〜４０重量％のα，β−エチレン性不飽和カルボン酸エステルの共重合単位を含み、
前記フィルムまたはシートが、第１の表面副層、第２の表面副層を含み、１つ以上の内側副層を含んでいてもよい多層構造であり、
前記第１の表面副層が、前記フィルムまたはシートを含むか、またはそれで作製されており、前記他の各副層が、酸コポリマー、イオノマー、エチレン酢酸ビニル、ポリ（ビニルアセタール）、ポリウレタン、ポリ塩化ビニル、ポリエチレン、ポリオレフィンブロックエラストマー、ポリ（α−オレフィン−コ−α，β−エチレン性不飽和カルボン酸エステル）コポリマー、シリコーンエラストマー、エポキシ樹脂またはこれら２つ以上の組み合わせを含むか、またはそれで作製されている上記１に記載の物品。
３  前記フィルムまたはシートが、第２の表面副層を含み、前記内側副層の少なくとも１つまたは両方が、少なくとも約８０℃の融点を有するイオノマーを含むか、またはそれで形成されており、
前記第２の表面副層が、フィルムまたはシートを含むか、またはそれで作製されており、
前記内側副層が、少なくとも約９０℃の融点を有する前記イオノマーを含むか、またはそれで作製されている上記２に記載の物品。
４  前記フィルムまたはシートの合計厚さが０．０５１ｍｍ〜６．３５ｍｍであり、前記第１の表面副層、前記第２の表面副層または両方の厚さが、約０．０１３ｍｍ〜０．１３ｍｍであり、前記各内側副層の厚さが、０．０１３ｍｍ〜３ｍｍである上記２または３に記載の物品。
５  前記物品が安全ラミネートであり、
前記安全ラミネートが、少なくとも１つの外側ラミネート層をさらに含み、
前記外側ラミネート層が、剛性シートまたはポリマーフィルムを含むか、またはそれで形成されており、
前記剛性シートが、ガラスまたは剛性ポリマーシートであり、
前記剛性ポリマーシートが、ポリカーボネート、アクリル、ポリアクリレート、環状ポリオレフィン、ポリスチレン、ポリアミド、ポリエステル、フルオロポリマーまたはこれらの２つ以上の組み合わせから作製され、
前記ポリマーフィルムが、ポリエステル、ポリカーボネート、ポリオレフィン、ノルボルネンポリマー、ポリスチレン、スチレン−アクリレートコポリマー、アクリロニトリル−スチレンコポリマー、ポリスルホン、ナイロン、ポリウレタン、アクリル、酢酸セルロース、セロファン、ポリ（塩化ビニル）、フルオロポリマーまたはこれらの２つ以上の組み合わせを含む上記１、２、３または４に記載の物品。
６  前記安全ラミネートが、２つの外側ラミネート層、および前記２つの外側ラミネート層間に挟まれた中間層を含み、
前記各２つの外側ラミネート層が、前記剛性シートまたは前記ポリマーフィルムを独立して含むか、またはそれで形成されており、
前記中間層が、上記１、２、３または４に記載の前記フィルムまたはシートを含み、その他のポリマーフィルムまたはシートを含んでいてもよく、
前記フィルムまたはシートの厚さが、０．３８ｍｍ〜２．２８ｍｍ、好ましくは０．３８ｍｍ〜２．２８ｍｍであり、
前記フィルムまたはシートが、２つのガラスシート間またはガラスシートと前記フィルムまたはシートの外側表面にハードコートされていてもよいポリエステルフィルムとの間に挟まれている上記５に記載の物品。
７  前記物品が、太陽電池プレラミネーションアセンブリであり、前記アセンブリが、１つまたは複数の電子相互接続太陽電池で形成され、光源に向いた受光側と、前記光源とは反対の裏側とを有する太陽電池コンポーネントをさらに含み、
前記太陽電池が、多結晶太陽電池、薄膜太陽電池、化合物半導体太陽電池、アモルファスシリコン太陽電池またはこれらの２つ以上の組み合わせである上記１、２、３または４に記載の物品。
８  前記アセンブリが、前記太陽電池コンポーネントの前記受光側の隣に位置決めされたフロントカプセル材層と、前記太陽電池コンポーネントの前記裏側の隣に位置決めされたバックカプセル材層とを含み、
前記フロントカプセル材層が、厚さ０．０５１ｍｍ〜０．５１ｍｍの前記フィルムまたはシートで形成されており、
前記バックカプセル材層が、酸コポリマー、イオノマー、エチレン酢酸ビニル、ポリ（ビニルアセタール）、ポリウレタン、ポリ塩化ビニル、ポリエチレン、ポリオレフィンブロックエラストマー、ポリ（α−オレフィン−コ−α，β−エチレン性不飽和カルボン酸エステル）コポリマー、シリコーンエラストマー、エポキシ樹脂またはこれら２つ以上の組み合わせを含むか、またはそれで形成されている上記７に記載の物品。
９  前記フロントカプセル材層の隣に位置決めされた入射層と、前記バックカプセル材層の隣に位置決めされたバッキング層とをさらに含み、
前記入射層が、（ｉ）ガラスシート、（ｉｉ）ポリマーシートまたは（ｉｉｉ）ポリマーフィルムであり、
前記ポリマーシートが、ポリカーボネート、アクリル、ポリアクリレート、環状ポリオレフィン、ポリスチレン、ポリアミド、ポリエステル、フルオロポリマーまたはこれらの２つ以上の組み合わせを含むか、またはそれで形成されており、
前記ポリマーフィルムが、ポリエステル、ポリカーボネート、ポリオレフィン、ノルボルネンポリマー、ポリスチレン、スチレン−アクリレートコポリマー、アクリロニトリル−スチレンコポリマー、ポリスルホン、ナイロン、ポリウレタン、アクリル、酢酸セルロース、セロファン、ポリ（塩化ビニル）、フルオロポリマーまたはこれらの２つ以上の組み合わせを含むか、またはそれで形成されている上記７または８に記載の物品。
１０  前記フロントカプセル材層およびバックカプセル材層は両方共、前記フィルムまたはシートを含むか、またはそれで形成されている上記８または９に記載の物品。
１１  前記バッキング層が、（ｉ）ガラスシート、（ｉｉ）ポリマーシート、（ｉｉｉ）ポリマーフィルム、（ｉｖ）金属シートまたは（ｖ）セラミック板であり、
前記ポリマーシートが、ポリカーボネート、アクリル、ポリアクリレート、環状ポリオレフィン、ポリスチレン、ポリアミド、ポリエステル、フルオロポリマーまたはこれらの２つ以上の組み合わせを含むか、またはそれで形成されていて、
前記ポリマーフィルムが、ポリエステル、ポリカーボネート、ポリオレフィン、ノルボルネンポリマー、ポリスチレン、スチレン−アクリレートコポリマー、アクリロニトリル−スチレンコポリマー、ポリスルホン、ナイロン、ポリウレタン、アクリル、酢酸セルロース、セロファン、ポリ（塩化ビニル）、フルオロポリマーまたはこれらの２つ以上の組み合わせを含むか、またはそれで形成されている上記８、９または１０に記載の物品。
１２  前記光源に面する上側から前記光源の反対の下側まで、
（ｉ）入射層、（ｉｉ）その隣に位置決めされているフロントカプセル材層、（ｉｉｉ）その隣に位置決めされている太陽電池コンポーネント、（ｉｖ）その隣に位置決めされているバックカプセル材層、（ｖ）その隣に位置決めされているバッキング層から実質的になり、前記フロントカプセル材層または前記バックカプセル材層または両方が、前記フィルムまたはシートで形成されている上記８、９、１０または１１に記載の物品。
１３  （ｉ）太陽電池プレラミネーションアセンブリを提供する工程と、（ｉｉ）前記アセンブリをラミネートして、太陽電池モジュールを形成する工程とを含む方法であって、前記アセンブリが、上記７〜１２のいずれか一項に記載されていることを特徴とする物品であり、前記ラミネートが、前記アセンブリに熱を加えることにより好ましくは実施される方法。
１４  前記ラミネートが、前記アセンブリに真空または圧力を加えることをさらに含む上記１３に記載の方法。
１５  太陽電池プレラミネーションアセンブリを含むか、またはそれから製造された太陽電池モジュールであって、前記アセンブリが、上記７〜１２のいずれか一項に記載されていることを特徴とする物品であり、好ましくは、前記モジュールが、約８５℃の温度および約８５％の相対湿度で１０００時間調整された後、前記ターイオノマー多層フィルムまたはシートとその近接層間の１８０°剥離強度の少なくとも約７５％が維持される太陽電池モジュール。
【手続補正２】
【補正対象書類名】特許請求の範囲
【補正対象項目名】全文
【補正方法】変更
【補正の内容】
【特許請求の範囲】
【請求項１】
フィルムまたはシートを含む物品であって、
前記物品が、安全ラミネートまたは太陽光制御プレラミネーションアセンブリであり、  前記フィルムまたはシートが、酸ターポリマー組成物を含むか、またはそれで作製されており、
前記酸ターポリマーが、α−オレフィン、前記酸ターポリマーの総重量を基準として、約１５〜約３０重量％の３〜８個の炭素を有するα，β−エチレン性不飽和カルボン酸、および約０．５〜約４０重量％の４〜１２個の炭素を有するα，β−エチレン性不飽和カルボン酸エステルから誘導された共重合単位を含む、物品。
【請求項２】
（ｉ）太陽電池プレラミネーションアセンブリを提供する工程と、（ｉｉ）前記アセンブリをラミネートして、太陽電池モジュールを形成する工程とを含む方法であって、前記アセンブリが、１つまたは複数の電子相互接続太陽電池で形成され、光源に向いた受光側と、前記光源とは反対の裏側とを有する太陽電池コンポーネントをさらに含み、前記太陽電池が、多結晶太陽電池、薄膜太陽電池、化合物半導体太陽電池、アモルファスシリコン太陽電池またはこれらの２つ以上の組み合わせである請求項１に記載の物品であり、前記ラミネートが、前記アセンブリに熱を加えることにより好ましくは実施される方法。
【請求項３】
太陽電池プレラミネーションアセンブリを含むか、またはそれから製造された太陽電池モジュールであって、前記アセンブリが、１つまたは複数の電子相互接続太陽電池で形成され、光源に向いた受光側と、前記光源とは反対の裏側とを有する太陽電池コンポーネントをさらに含み、前記太陽電池が、多結晶太陽電池、薄膜太陽電池、化合物半導体太陽電池、アモルファスシリコン太陽電池またはこれらの２つ以上の組み合わせである請求項１に記載の物品であり、好ましくは、前記モジュールが、約８５℃の温度および約８５％の相対湿度で１０００時間調整された後、前記ターイオノマー多層フィルムまたはシートとその近接層間の１８０°剥離強度の少なくとも約７５％が維持される太陽電池モジュール。